(57)【要約】【課題】  １０００μＳ/ｃｍ未満でも十分な付き廻り性及び耐食性を実現でき、且つ、優れたエマルション安定性を有する当該アミン変性エポキシ樹脂を含有するカチオン電着塗料組成物の提供【解決手段】  樹脂エマルションが、特定構造のプロピレンオキサイド付加ジエポキシ樹脂（ａ１）とビスフェノール化合物（ａ２）とジエポキシ樹脂（ａ３）と２つのカルボキシル基が少なくとも１個の炭素原子を介して結合されているジカルボン酸（ａ４）とを反応させてなるエポキシ樹脂（Ａ１）のエポキシ基に対してアミン化合物（Ａ２）を反応させて得られるアミノ基変性エポキシ樹脂（Ａ）と、（Ａ）を架橋し得る硬化剤（Ｂ）とを含むことを特徴とするカチオン電着塗料組成物【選択図】  なし【特許請求の範囲】
【請求項１】
エポキシ樹脂（Ａ１）とアミン化合物（Ａ２）を反応させて得られ、
前記エポキシ樹脂（Ａ１）は、
式（１）で示されるプロピレンオキサイド付加ジエポキシ樹脂（ａ１）と、
ビスフェノール化合物（ａ２）と、
式（１）とは異なるジエポキシ樹脂（ａ３）と、
２つのカルボキシル基が少なくとも１個の炭素原子を介して結合されているジカルボン酸（ａ４）と、
を反応させて得られる、アミノ基変性エポキシ樹脂（Ａ）。
【化１】
2017038631.tif 000031
［式（１）中、Ｒ１は、置換基を有していてもよい炭素数３〜１０のアルキレン基、置換基を有していてもよいシクロへキシレン基、置換基を有していてもよいフェニレン基、又は−Ｒａ−Ｒｂ−Ｒｃ−であり、Ｒａ及びＲｃは、シクロヘキシレン基又はフェニレン基であり、Ｒｂは、１又は２個の置換基を有していてもよいメチレン基であり、ｍ及びｎは、相互に独立しており、１〜２０のいずれかの整数である］
【請求項２】
前記ジエポキシ樹脂（ａ３）が、式（２）で示される化合物である、請求項１に記載のアミノ基変性エポキシ樹脂（Ａ）。
【化２】
2017038631.tif 000032
［式（２）中、Ｒ３及びＲ４は、それぞれ独立に、単結合、アルキレン基、フェニレン基、及びシクロヘキシレン基から選ばれ、Ｘ１及びＹ１は、それぞれ独立に水素原子及びアルキル基から選ばれる］
【請求項３】
前記プロピレンオキサイド付加ジエポキシ樹脂（ａ１）のＲ１が、式（３）で示されるビスシクロヘキシレン基、式（４）で示されるビスフェニレン基、及び式（５）で示されるフェニレン基のいずれか１種であり、且つ、式（１）におけるｍ及びｎは、相互に独立しており、１〜５のいずれかの整数である、請求項１又は２に記載のアミノ基変性エポキシ樹脂（Ａ）。
【化３】
2017038631.tif 000033
［式（３）、（４）及び（５）中、Ｘ２、Ｘ３、Ｙ２及びＹ３は、互いに独立に水素原子、アルキル基及びフェニル基から選ばれ、Ｘ４及びＹ４は、互いに独立に水素原子、アルキル基、フェニル基、アルコキシル基及びヒドロキシル基から選ばれる］
【請求項４】
前記ジカルボン酸（ａ４）は、２つのカルボキシル基が炭素数１〜２０個のアルキレン基を介して結合される化合物であり、前記アルキレン基はアルキル基、アルケニル基、アルカジエニル基又はメチレン基を有していてもよく、また、前記アルキレン基の炭素数が２〜２０個である場合、隣り合う炭素原子を介して環を構成してもよく、前記環はアルキル基及びアルケニル基から選択される１又は２以上の置換基を有していてもよい、請求項１から３のいずれか一項に記載のアミノ基変性エポキシ樹脂（Ａ）。
【請求項５】
前記エポキシ樹脂（Ａ１）のエポキシ当量が１０００から５０００であり、且つ、前記アミノ基変性エポキシ樹脂（Ａ）のアミン価が５から３０である、請求項１から４のいずれか一項に記載のアミノ基変性エポキシ樹脂（Ａ）。
【請求項６】
前記プロピレンオキサイド付加ジエポキシ樹脂（ａ１）の量が、前記プロピレンオキサイド付加ジエポキシ樹脂（ａ１）、前記ビスフェノール化合物（ａ２）、前記ジエポキシ樹脂（ａ３）及び前記ジカルボン酸（ａ４）の総質量に対して１から５０質量％であり、且つ、前記ジカルボン酸（ａ４）の量が、前記総質量に対して１から２０質量％である、請求項１から５のいずれか一項に記載のアミノ基変性エポキシ樹脂（Ａ）。
【請求項７】
アミノ基変性エポキシ樹脂（Ａ）と、該アミノ基変性エポキシ樹脂（Ａ）を架橋し得る硬化剤（Ｂ）とを含む樹脂エマルションを含み、
前記アミノ基変性エポキシ樹脂（Ａ）は、エポキシ樹脂（Ａ１）とアミン化合物（Ａ２）を反応させて得られ、
前記エポキシ樹脂（Ａ１）は、
式（１）で示されるプロピレンオキサイド付加ジエポキシ樹脂（ａ１）と、
ビスフェノール化合物（ａ２）と、
式（１）とは異なるジエポキシ樹脂（ａ３）と、
２つのカルボキシル基が少なくとも１個の炭素原子を介して結合されているジカルボン酸（ａ４）と、
を反応させて得られる、カチオン電着塗料組成物。
【化４】
2017038631.tif 000034
［式（１）中、Ｒ１は、置換基を有していてもよい炭素数３〜１０のアルキレン基、置換基を有していてもよいシクロヘキシレン基、置換基を有していてもよいフェニレン基、又は−Ｒａ−Ｒｂ−Ｒｃ−であり、Ｒａ及びＲｃは、シクロヘキシレン基又はフェニレン基であり、Ｒｂは、１又は２個の置換基を有していてもよいメチレン基であり、ｍ及びｎは、相互に独立しており、１〜２０のいずれかの整数である］
【請求項８】
前記ジエポキシ樹脂（ａ３）が、式（２）で示される化合物である、請求項７に記載のカチオン電着塗料組成物。
【化５】
2017038631.tif 000035
［式（２）中、Ｒ３及びＲ４は、それぞれ独立に、単結合、アルキレン基、フェニレン基、及びシクロヘキシレン基から選ばれ、Ｘ１及びＹ１は、それぞれ独立に水素原子及びアルキル基から選ばれる］
【請求項９】
前記プロピレンオキサイド付加ジエポキシ樹脂（ａ１）のＲ１が、式（３）で示されるビスシクロヘキシレン基、式（４）で示されるビスフェニレン基、及び式（５）で示されるフェニレン基のいずれか１種であり、且つ、式（１）におけるｍ及びｎは、相互に独立しており、１〜５のいずれかの整数である、請求項７又は８に記載のカチオン電着塗料組成物。
【化６】
2017038631.tif 000036
［式（３）、（４）及び（５）中、Ｘ２、Ｘ３、Ｙ２及びＹ３は、互いに独立に水素原子、アルキル基及びフェニル基から選ばれ、Ｘ４及びＹ４は、互いに独立に水素原子、アルキル基、フェニル基、アルコキシル基及びヒドロキシル基から選ばれる］
【請求項１０】
前記ジカルボン酸（ａ４）は、２つのカルボキシル基が炭素数１〜２０個のアルキレン基を介して結合される化合物であり、前記アルキレン基はアルキル基、アルケニル基、アルカジエニル基又はメチレン基を有していてもよく、また、前記アルキレン基の炭素数が２〜２０個である場合、隣り合う炭素原子を介して環を構成してもよく、前記環はアルキル基及びアルケニル基から選択される１又は２以上の置換基を有していてもよい、請求項７から９のいずれか一項に記載のカチオン電着塗料組成物。
【請求項１１】
前記エポキシ樹脂（Ａ１）のエポキシ当量が１０００から５０００であり、且つ、前記アミノ基変性エポキシ樹脂（Ａ）のアミン価が５から３０である、請求項７から１０のいずれか一項に記載のカチオン電着塗料組成物。
【請求項１２】
前記プロピレンオキサイド付加ジエポキシ樹脂（ａ１）の量が、前記プロピレンオキサイド付加ジエポキシ樹脂（ａ１）、前記ビスフェノール化合物（ａ２）、前記ジエポキシ樹脂（ａ３）及び前記ジカルボン酸（ａ４）の総質量に対して１から５０質量％であり、且つ、前記ジカルボン酸（ａ４）の量が、前記総質量に対して１から２０質量％である、請求項７から１１のいずれか一項に記載のカチオン電着塗料組成物。
【請求項１３】
電気伝導度が１０００μＳ／ｃｍ未満である請求項７から１２のいずれか一項に記載のカチオン電着塗料組成物。
【請求項１４】
前記硬化剤（Ｂ）がブロック化ポリイソシアネート型硬化剤である請求項７から１３のいずれか一項に記載のカチオン電着塗料組成物。
【請求項１５】
請求項７から１４のいずれか一項に記載のカチオン電着塗料組成物を含む電着塗料浴に、亜鉛系めっき材を含む金属被塗物を浸漬して電着塗装することにより得られる塗装物品。
【発明の詳細な説明】
【技術分野】
【０００１】
本発明は、新規なアミン変性エポキシ樹脂に関する。更には、本発明は、金属材料、特に形状が複雑な金属構成体（例えば自動車）に対して、優れた電着付き廻り性を示し、且つ、特に亜鉛系めっき材に対してガスピンホールの発生を抑制し優れた塗膜外観を提供し、更には、従来の電着塗料と同等以上の耐食性を付与する、前記新規なアミン変性エポキシ樹脂を含有する金属表面処理用組成物に関するものである。
【背景技術】
【０００２】
カチオン電着塗料には、種々のエポキシ樹脂が使用されている。例えば、特許文献１では、カチオン電着塗料組成物に含ませるエポキシ樹脂として、アミノ基を有するアミン変性エポキシ樹脂が用いられている。また、特許文献２では、加熱により開裂して架橋可能となるブロック化イソシアナト基含有有機第三級アミンの酸塩又はスルフイドとエポキシ含有有機化合物の反応生成物が用いられている。特許文献３では、分子量が少なくとも３５０のポリエポキシド、第二アミン及び少なくとも二個のアルコール性第一級水酸基含有有機ポリオールの反応生成物であって、酸の存在下水に分散し得るカチオン性水分散性樹脂が用いられている。
【先行技術文献】
【特許文献】
【０００３】
【特許文献１】特開２００６−２００２号公報
【特許文献２】特開昭５２−０１８７４６号公報
【特許文献３】特開昭５２−０８７４９８号公報
【発明の概要】
【発明が解決しようとする課題】
【０００４】
本発明は、カチオン電着塗料組成物に有用な新規アミン変性エポキシ樹脂、及びそれを含有するカチオン電着塗料組成物を提供することを目的とする。
【課題を解決するための手段】
【０００５】
上記課題を解決するために研究を重ねた結果、下記発明に至った。
即ち、本発明は、
（ｉ）エポキシ樹脂（Ａ１）とアミン化合物（Ａ２）を反応させて得られ、前記エポキシ樹脂（Ａ１）は、式（１）：
【化１】
2017038631.tif 000002
［式（１）中、Ｒ１は、置換基を有していてもよい炭素数３〜１０のアルキレン基、置換基を有していてもよいシクロへキシレン基、置換基を有していてもよいフェニレン基、又は−Ｒａ−Ｒｂ−Ｒｃ−であり、Ｒａ及びＲｃは、シクロへキシレン基又はフェニレン基であり、Ｒｂは、１又は２個の置換基を有していてもよいメチレン基であり、ｍ及びｎは、相互に独立しており、１〜２０のいずれかの整数である］で示されるプロピレンオキサイド付加ジエポキシ樹脂（ａ１）とビスフェノール化合物（ａ２）と式（１）とは異なるジエポキシ樹脂（ａ３）と２つのカルボキシル基が少なくとも１個の炭素原子を介して結合されているジカルボン酸（ａ４）とを反応させて得られる、アミノ基変性エポキシ樹脂（Ａ）；
（ii）前記ジエポキシ樹脂（ａ３）が、式（２）：
【化２】
2017038631.tif 000003
［式（２）中、Ｒ３及びＲ４は、それぞれ独立に、単結合、アルキレン基、フェニレン基、及びシクロヘキシレン基から選ばれ、Ｘ１及びＹ１は、それぞれ独立に水素原子及びアルキル基から選ばれる］で示される化合物である、上記（ｉ）に記載のアミノ基変性エポキシ樹脂（Ａ）；
（iii）前記プロピレンオキサイド付加ジエポキシ樹脂（ａ１）のＲ１が、式（３）、式（４）又は式（５）：
【化３】
2017038631.tif 000004
［式（３）、（４）及び（５）中、Ｘ２、Ｘ３、Ｙ２及びＹ３は、互いに独立に水素原子、アルキル基及びフェニル基から選ばれ、Ｘ４及びＹ４は、互いに独立に水素原子、アルキル基、フェニル基、アルコキシル基及びヒドロキシル基から選ばれる］で示される基であり、且つ、式（１）におけるｍ及びｎは、相互に独立しており、１〜５のいずれかの整数である、上記（ｉ）又は（ii）に記載のアミノ基変性エポキシ樹脂（Ａ）；
（iv）前記ジカルボン酸（ａ４）は、２つのカルボキシル基が炭素数１〜２０個のアルキレン基を介して結合される化合物であり、前記アルキレン基はアルキル基、アルケニル基、アルカジエニル基又はメチレン基を有していてもよく、また、前記アルキレン基の炭素数が２〜２０個である場合、隣り合う炭素原子を介して環を構成してもよく、前記環はアルキル基及びアルケニル基から選択される１又は２以上の置換基を有していてもよい、上記（ｉ）から（iii）のいずれかに記載のアミノ基変性エポキシ樹脂（Ａ）；
（ｖ）前記エポキシ樹脂（Ａ１）のエポキシ当量が１０００以上５０００以下であり、且つ、前記アミノ基変性エポキシ樹脂（Ａ）のアミン価が５以上３０以下である、上記（ｉ）から（iv）のいずれかに記載のアミノ基変性エポキシ樹脂（Ａ）；
（vi）前記プロピレンオキサイド付加ジエポキシ樹脂（ａ１）の量が、前記プロピレンオキサイド付加ジエポキシ樹脂（ａ１）、前記ビスフェノール化合物（ａ２）、前記ジエポキシ樹脂（ａ３）及び前記ジカルボン酸（ａ４）の総質量に対して１質量％以上５０質量％以下であり、且つ、前記ジカルボン酸（ａ４）の量が、前記総質量に対して１質量％以上２０質量％以下を含む、上記（ｉ）から（ｖ）のいずれかに記載のアミノ基変性エポキシ樹脂（Ａ）；
（vii）アミノ基変性エポキシ樹脂（Ａ）と、該アミノ基変性エポキシ樹脂（Ａ）を架橋し得る硬化剤（Ｂ）とを含む樹脂エマルションを含み、前記アミノ基変性エポキシ樹脂（Ａ）は、エポキシ樹脂（Ａ１）とアミン化合物（Ａ２）を反応させて得られ、前記エポキシ樹脂（Ａ１）は、式（１）：
【化４】
2017038631.tif 000005
［式（１）中、Ｒ１は、置換基を有していてもよい炭素数３〜１０のアルキレン基、置換基を有していてもよいシクロへキシレン基、置換基を有していてもよいフェニレン基、又は−Ｒａ−Ｒｂ−Ｒｃ−であり、Ｒａ及びＲｃは、シクロヘキシレン基又はフェニレン基であり、Ｒｂは、１又は２個の置換基を有していてもよいメチレン基であり、ｍ及びｎは、相互に独立しており、１〜２０のいずれかの整数である］で示されるプロピレンオキサイド付加ジエポキシ樹脂（ａ１）とビスフェノール化合物（ａ２）と式（１）とは異なるジエポキシ樹脂（ａ３）と２つのカルボキシル基が少なくとも１個の炭素原子を介して結合されているジカルボン酸（ａ４）とを反応させて得られる、カチオン電着塗料組成物；
（viii）前記ジエポキシ樹脂（ａ３）が、式（２）：
【化５】
2017038631.tif 000006
［式（２）中、Ｒ３及びＲ４は、それぞれ独立に、単結合、アルキレン基、フェニレン基、及びシクロヘキシレン基から選ばれ、Ｘ１及びＹ１は、それぞれ独立に水素原子及びアルキル基から選ばれる］で示される化合物である、上記（vii）に記載のカチオン電着塗料組成物；
（ix）前記プロピレンオキサイド付加ジエポキシ樹脂（ａ１）のＲ１が、式（３）、式（４）又は式（５）：
【化６】
2017038631.tif 000007
［式（３）、（４）及び（５）中、Ｘ２、Ｘ３、Ｙ２及びＹ３は、互いに独立に水素原子、アルキル基及びフェニル基から選ばれ、Ｘ４及びＹ４は、互いに独立に水素原子、アルキル基、フェニル基、アルコキシル基及びヒドロキシル基から選ばれる］で示される基であり、且つ、式（１）におけるｍ及びｎは、相互に独立しており、１〜５のいずれかの整数である、上記（vii）又は（viii）に記載のカチオン電着塗料組成物；
（ｘ）前記ジカルボン酸は、２つのカルボキシル基が炭素数１〜２０個のアルキレン基を介して結合される化合物であり、前記アルキレン基はアルキル基、アルケニル基、アルカジエニル基又はメチレン基を有していてもよく、また、前記アルキレン基の炭素数が２〜２０個である場合、隣り合う炭素原子を介して環を構成してもよく、前記環はアルキル基及びアルケニル基から選択される１又は２以上の置換基を有していてもよい、上記（vii）から（ix）のいずれかに記載のカチオン電着塗料組成物；
（xi）前記エポキシ樹脂（Ａ１）のエポキシ当量が１０００以上５０００以下であり、且つ、前記アミノ基変性エポキシ樹脂（Ａ）のアミン価が５以上３０以下である、上記（vii）から（ｘ）のいずれかに記載のカチオン電着塗料組成物；
（xii）前記プロピレンオキサイド付加ジエポキシ樹脂（ａ１）の量が、前記プロピレンオキサイド付加ジエポキシ樹脂（ａ１）、前記ビスフェノール化合物（ａ２）、前記ジエポキシ樹脂（ａ３）及び前記ジカルボン酸（ａ４）の総質量に対して１質量％以上５０質量％以下であり、且つ、前記ジカルボン酸（ａ４）の量が、前記総質量に対して１質量％以上２０質量％以下である、上記（vii）から（xi）のいずれかに記載のカチオン電着塗料組成物；
（xiii）電気伝導度が１０００μＳ／ｃｍ未満である、上記（vii）から（xii）のいずれかに記載のカチオン電着塗料組成物；
（xiv）前記硬化剤（Ｂ）がブロック化ポリイソシアネート型硬化剤である、上記（vii）から（xiii）のいずれかに記載のカチオン電着塗料組成物；
（xv）上記（vii）から（xiv）のいずれかに記載のカチオン電着塗料組成物を含む電着塗料浴に、亜鉛系めっき材を含む金属被塗物を浸漬して電着塗装することにより得られる塗装物品；
等である。
【発明の効果】
【０００６】
本発明に係るアミン変性エポキシ樹脂を、例えばカチオン電着塗料組成物の樹脂成分として用いると、カチオン樹脂の中和に要するヒドロキシルイオンが少量であっても塗膜を析出させることが可能となることに加え、所定の膜厚に早く到達させることが可能となる。更に、理由は定かでないが、本樹脂を構成するプロピレンオキサイド付加ジエポキシ樹脂とジカルボン酸に由来するエーテル基やカルボニル基は電子供与性基であり金属イオンをキレートすることが出来ると理解されるため、金属コンタミによる悪影響を防ぐことができ、前工程の化成処理液の洗浄を省略することも可能である。そして、本発明に係るカチオン電着塗料組成物は、このようなアミン変性エポキシ樹脂を含有しているため、１０００μＳ/ｃｍ未満でも十分な付き廻り性を実現できる。更に、本発明に係るカチオン電着塗料組成物は、１０００μＳ/ｃｍ未満でのカチオン電着が可能となるが故に、ガスピンホールの発生も抑制でき且つ電圧の制御範囲を広範囲とすることが可能となる。
【発明を実施するための形態】
【０００７】
まず、本発明に係るアミノ基変性エポキシ樹脂（Ａ）を説明する。なお、下記にて、「アルキル」「アルキレン」「アルケニル」「アルカジエニル」「ヒドロキシアルキル」「アルキレングリコール」「アルカノールアミン」等、炭化水素部分を含む基の記載が存在する。この場合、特記しない限り、当該基の炭素数は、相互に独立して、好適には１〜６である。また、各原料のそれぞれについては、単独で用いてもよいし、２種以上を組み合わせて用いてもよい。
【０００８】
≪１．アミノ基変性エポキシ樹脂（Ａ）≫
アミノ基変性エポキシ樹脂（Ａ）は、エポキシ樹脂（Ａ１）とアミン化合物（Ａ２）を反応させて得られる。また、エポキシ樹脂（Ａ１）は、プロピレンオキサイド付加ジエポキシ樹脂（ａ１）と、ビスフェノール化合物（ａ２）と、（ａ１）とは異なるジエポキシ樹脂（ａ３）と、２つのカルボキシル基が少なくとも１個の炭素原子を介して結合されているジカルボン酸（ａ４）と、を反応させて得られる。以下、各原料を詳述する。
【０００９】
<１−１．原料>
｛１−１−１．原料／プロピレンオキサイド付加ジエポキシ樹脂（ａ１）｝
プロピレンオキサイド付加ジエポキシ樹脂（ａ１）は、上記式（１）で示される樹脂である。式（１）中、Ｒ１は、置換基を有していてもよい炭素数３〜１０のアルキレン基、置換基を有していてもよいシクロヘキシレン基、置換基を有していてもよいフェニレン基、又は−Ｒａ−Ｒｂ−Ｒｃ−である。Ｒａ及びＲｃは、シクロヘキシレン基又はフェニレン基である。Ｒｂは、１又は２個の置換基を有していてもよいメチレン基である。ｍ及びｎは、相互に独立しており、１〜２０のいずれかの整数である。
【００１０】
ここで、置換基を有する、炭素数３〜１０のアルキレン基、シクロへキシレン基、フェニレン基、及びメチレン基における置換基としては、例えば、アルキル基、フェニル基等を挙げることができる。更に、これら置換基は、別の官能基（例えば、アルキル基、フェニル基等）で置換されていてもよい。なお、上記アルキル基は、直鎖状、分岐鎖状又は環状のいずれであってもよい。また、本明細書において「置換基」とは、特記しない限り上述のアルキル基やフェニル基等を意味する。
【００１１】
上記式（１）のＲ１は、例えば、上記式（３）で示されるビスシクロヘキシレン基、上記式（４）で示されるビスフェニレン基、又は式（５）で示されるフェニレン基等である。式（３）中、Ｘ２及びＹ２は、互いに独立に水素原子、アルキル基又はフェニル基である。式（４）中、Ｘ３及びＹ３は、互いに独立に水素原子、アルキル基又はフェニル基である。式（５）中、Ｘ４及びＹ４は、互いに独立に水素原子、アルキル基、フェニル基、アルコキシル基又はヒドロキシル基である。Ｘ２、Ｙ２、Ｘ３、Ｙ３、Ｘ４及びＹ４としてのアルキル基は、直鎖状又は分岐鎖状であれば特に制限されるものではないが、炭素数１〜６のアルキル基が好ましく、炭素数１〜３のアルキル基がより好ましい。また、Ｘ４及びＹ４としてのアルコキシル基は、直鎖状又は分岐鎖状であれば特に制限されるものではないが、炭素数１〜６のアルコキシル基が好ましく、炭素数１〜３のアルコキシル基がより好ましい。
【００１２】
上記式（１）のｍとｎは、上述したように１から２０のいずれかの整数であればよいが、１から５のいずれかの整数であることが好ましく、ｍとｎがともに１から３のいずれかの整数であることがより好ましく、ｍとｎがともに１であることが特に好ましい。
【００１３】
上記式（１）のプロピレンオキサイド付加ジエポキシ樹脂（ａ１）は、公知の方法、より具体的には、Ｒ１の両末端にヒドロキシル基を有するポリオール化合物にプロピレンオキサイドを付加又は付加重合させ、得られたポリエーテル化合物（末端にヒドロキシル基を有する）とエピクロルヒドリンを反応させてジエポキシ化することにより得ることが出来る。
【００１４】
上記ポリオール化合物として、より具体的には、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，４−シクロヘキサンジオール等の、両末端の炭素原子に水酸基が結合された直鎖状又は環状のアルキレングリコール；カテコール、レゾルシノール、ヒドロキノン、ピロガロール等の２個以上の水酸基を有する多価フェノール；２，２−ビス（４−ヒドロキシシクロヘキシル）プロパン（水素化ビスフェノールＡ）、水素化ビスフェノールＦ、水素化ビスフェノールＥ、水素化ビスフェノールＢ、水素化ビスフェノールＡＰ、水素化ビスフェノールＢＰ、ビスフェノールＡ、ビスフェノールＦ、ビスフェノールＥ、ビスフェノールＢ、ビスフェノールＡＰ、ビスフェノールＢＰ等のポリフェノール化合物又はその水素化物；等を挙げることができる。
【００１５】
｛１−１−２．原料／ビスフェノール化合物（ａ２）｝
ビスフェノール化合物（ａ２）は、１分子中に２個のフェノール性ＯＨ基を有する化合物であれば特に制限されるものではなく、例えばビスフェノールＡ、ビスフェノールＦ、ビスフェノールＥ、ビスフェノールＢ、ビスフェノールＳ、ビスフェノールＡＰ、ビスフェノールＢＰ等が挙げられる。なかでも、ビスフェノールＡ，ビスフェノールＦが好ましい。
【００１６】
｛１−１−３．原料／ジエポキシ樹脂（ａ３）｝
ジエポキシ樹脂（ａ３）は、上記プロピレンオキサイド付加ジエポキシ樹脂（ａ１）以外の、１分子中に２個のエポキシ基を有する化合物である。ジエポキシ樹脂（ａ３）は、一般に１７０以上５００以下、好ましくは１７０以上４００以下の範囲内のエポキシ当量を有する。ジエポキシ樹脂（ａ３）としては、上記式（２）で示される化合物であることが好ましい。式（２）中、Ｒ３及びＲ４は、同一であっても異なるものであってもよく、例えば、単結合、アルキレン基、フェニレン基又はシクロヘキシレン基を挙げることができる。Ｘ１及びＹ１は、それぞれ独立に水素原子又はアルキル基である。Ｘ１及びＹ１としてのアルキル基は、直鎖状又は分岐鎖状であれば特に制限されるものではないが、炭素数１〜６のアルキル基が好ましく、炭素数１〜３のアルキル基がより好ましい。
【００１７】
上記ジエポキシ樹脂（ａ３）は、例えば、上記ポリオール化合物、又は、同一の炭素原子に、２つの水酸基；１つの水酸基と１つの、ヒドロキシアルキル基、フェノール基若しくはシクロヘキサノール基；１つのヒドロキシアルキル基と１つの、フェノール基若しくはシクロヘキサノール基；１つのフェノール基と１つのシクロヘキサノール基；若しくは２つのヒドロキシアルキル基（同一であっても異なるものであってもよい）；が結合された炭素数が２以上のアルキレングリコールと、エピハロヒドリン（例えば、エピクロルヒドリン）との反応によって得ることができる。上記アルキレングリコールとしては、例えば、１，１−ジヒドロキシエタン、１，１−ジヒドロキシプロパン、２，２−ジヒドロキシプロパン等の、同一の炭素原子に２つの水酸基が結合されたアルキレングリコール；２−ヒドロキシプロパノール、２−ヒドロキシブタノール等の、同一の炭素原子に１つの水酸基と１つのヒドロキシアルキル基が結合されたアルキレングリコール；２，２−（ジヒドロキシメチル）エタン、２，２−（ジヒドロキシエチル）プロパン、２，２−ジメチル−１，３−プロパンジオール、２，２−ジメチル−１，４−ブタンジオール、３，３−ジエチル−１，６−ヘキサンジオール等の、同一の炭素原子に１種又は２種のヒドロキシアルキル基が結合されたアルキレングリコール；４−（１−ヒドロキシエチル）フェノール、３−（１−ヒドロキシエチル）フェノール、４−（１−ヒドロキシプロピル）フェノール等の、同一の炭素原子に１つの水酸基と１つのフェノール基が結合されたアルキレングリコール；４−（１−ヒドロキシエチル）シクロヘキサノール、２−（１−ヒドロキシエチル）シクロヘキサノール等の、同一の炭素原子に１つの水酸基と１つのシクロヘキサノール基が結合されたアルキレングリコール；４−ヒドロキシフェニル−２−プロパノール、４−ヒドロキシフェニル−２−ブタノール等の、同一の炭素原子に１つのヒドロキシアルキル基と１つのフェノール基が結合されたアルキレングリコール；２−（４−ヒドロキシシクロヘキシル）−１−プロパノール、２，２−ジメチル−２−（４−ヒドロキシシクロヘキシル）−１−エタノール等の、同一の炭素原子に１つのヒドロキシアルキル基と１つのシクロヘキサノール基が結合されたアルキレングリコール；２−（４−ヒドロキシフェニル）−２−（４−ヒドロキシシクロヘキシル）プロパン、１−（４−ヒドロキシフェニル）−１−（４−ヒドロキシシクロヘキシル）プロパン等の、同一の炭素原子に１つのフェノール基と１つのシクロヘキサノール基が結合されたアルキレングリコール；等を挙げることができる。
【００１８】
ジエポキシ樹脂（ａ３）の製造においては、上記ポリオール化合物及び上記各種アルキレングリコールのほか、例えば、４，４’−ジヒドロキシベンゾフェノン、ビス（４−ヒドロキシフェニル）−１，１−イソブタン、ビス（４−ヒドロキシ−２−ｔｅｒｔ−ブチルフェニル）−２，２−プロパン、ビス（４−ヒドロキシ−３−ｔｅｒｔ−ブチルフェニル）−２，２−プロパン、ビス（２−ヒドロキシナフチル）メタン、テトラキス（４−ヒドロキシフェニル）−１，１，２，２−エタン、４，４’−ジヒドロキシジフェニルスルホン、２，２−ビス（４−ヒドロキシフェニル）ヘキサフルオロプロパン、ビス（４−ヒドロキシフェニル）−２，２−ジクロロエチレン、２，２−ビス（３−メチル−４ヒドロキシフェニル）プロパン等を用いることができる。
【００１９】
これらの原料によって得られたジエポキシ樹脂（ａ３）は、アミノ基変性エポキシ樹脂（Ａ）の製造において、単独で用いてもよいし、２種以上用いてもよい。２種以上のジエポキシ樹脂（ａ３）を用いてアミノ基変性エポキシ樹脂（Ａ）を製造する場合は、それぞれを別々に添加しても同時に添加してもよい。
【００２０】
｛１−１−４．原料／ジカルボン酸（ａ４）｝
ジカルボン酸（ａ４）は、２つのカルボキシル基が少なくとも１個の炭素原子を介して結合されている化合物である。好適なジカルボン酸は、下記式（６）で示されるように、２つのカルボキシル基が炭素数１〜２０個の直鎖状のアルキレン基（Ｒ２）を介して結合している化合物である。なお、式（６）の化合物におけるアルキレン基（Ｒ２）は、アルキル基、アルケニル基、アルカジエニル基及びメチレン基から選ばれる１種の置換基を１又は２個以上、あるいは、アルキル基、アルケニル基、アルカジエニル基及びメチレン基から選ばれる２種以上の置換基をそれぞれ１個又は２個以上、有していてもよい。また、式（６）の化合物におけるアルキレン基（Ｒ２）の炭素数が２〜２０個である場合、該アルキレン基の隣り合う炭素原子を介して環を構成してもよい。環は、アルキル基及びアルケニル基から選択される１又は２以上の置換基を有していてもよく、好ましくは、アルキル基及び／又はアルケニル基の２個の置換基を有していてもよい。環が２個の置換基を有する場合、該２個の置換基は、同一であっても異なっていてもよい。環としては、例えば、シクロヘキサン環、シクロヘキセン環、ベンゼン環、デカリン環において２つの炭素−炭素結合が２重結合であるビシクロ環（例えば、ビシクロ［４．４．０］デカン−１，７−ジエン等）を挙げることができる。アルキレン基（Ｒ２）が有していてもよい、アルキル基、アルケニル基若しくはアルカジエニル基、又は、環が有していてもよい、アルキル基又はアルケニル基は、直鎖状又は分岐鎖状のいずれであってもよい。
【化７】
2017038631.tif 000008
【００２１】
より好適なジカルボン酸（ａ４）は、環状及び／又は不飽和結合を有する化合物である。特に好適なジカルボン酸（ａ４）は、式（６）の化合物のうち、アルキレン基（Ｒ２）における炭素数が２〜１８個であり；且つ、アルキレン基（Ｒ２）は、メチレン基を１個、炭素数が５から９のアルキル基を１個若しくは２個、又は、炭素数が５から９の、アルキル基、アルケニル基及びアルカジエニル基から選ばれる１種又は２種の置換基を２個、有していてもよい、あるいは、アルキレン基（Ｒ２）の隣り合う炭素原子を介して上記環のいずれかを構成し、環は、それぞれ独立に、炭素数が５から９の、アルキル基、アルケニル基又はアルカジエニル基である２個の置換基を有していてもよい；化合物である。
【００２２】
ジカルボン酸（ａ４）は、例えば、マロン酸、コハク酸、グルタル酸、２，２−ジメチルグルタル酸、３，３−ジメチルグルタル酸、アジピン酸、２，２−ジメチルアジピン酸、ピメリン酸、スベリン酸、アゼライン酸、２−エチルアゼライン酸、セバシン酸、１，９−ノナンジカルボン酸、１，１０−デカンジカルボン酸、１，１１−ウンデカンジカルボン酸、１，１２−ドデカンジカルボン酸、１，１３−トリデカンジカルボン酸、１，１４−テトラデカンジカルボン酸、１，１５−ペンタデカンジカルボン酸、１，１６−ヘキサデカンジカルボン酸、１，１７−ヘプタデカンジカルボン酸、１，１８−オクタデカンジカルボン酸、１，１９−ノナデカンジカルボン酸、１，２０−イコサンジカルボン酸、イタコン酸、フタル酸、ダイマー酸、１，２−シクロヘキサンジカルボン酸、１，２−シクロヘキセンジカルボン酸等を挙げることができる。なお、本発明においてエポキシ樹脂（Ａ１）の原料として用いることができるダイマー酸は、例えば、市販の、ハリダイマー２００、２５０又は２７０Ｓ（各ハリマ化成グループ株式会社）；ツノダイム２０５、２１６、２２８、３９５又は３４６（各筑野食品工業株式会社）；Ｕｎｙｄｙｍｅ  １４、１４Ｒ、Ｔ−１７、１８、Ｔ−１８、２２、Ｔ−２２、２７、３５、Ｍ−９、Ｍ−１５、Ｍ−３５若しくは４０、又はＣｅｎｔｕｒｙ  Ｄ−７５、Ｄ−７７、Ｄ−７８若しくはＤ−１１５６、又はＳｙｌｖａｔａｌ  ７００１若しくは７００２（各アリゾナケミカル社）；Ｅｍｐｏｌ  １０１６、１００３、１０２６、１０２８、１０６１、１０６２、１００８又は１０１２（各ＢＡＳＦ社）；水素化ダイマー酸（ａｖｅｒａｇｅ  Ｍｎ〜５７０；Ｓｉｇｍａ−Ａｌｄｒｉｃｈ社）等を挙げることができる。
【００２３】
｛１−１−５．原料／アミン化合物（Ａ２）｝
本発明に用いられるアミン化合物（Ａ２）は、エポキシ樹脂（Ａ１）にアミノ基を導入するための原料である。従って、アミン化合物（Ａ２）は、エポキシ基との反応が可能な活性水素を少なくとも１つ以上含む。アミン化合物（Ａ２）としては、アミノ基を導入できるものであれば特に制限されるものではなく、例えば、モノメチルアミン、ジメチルアミン、モノエチルアミン、ジエチルアミン、モノイソプロピルアミン、ジイソプロピルアミン、モノブチルアミン、ジブチルアミン、モノエタノールアミン、ジエタノールアミン、モノ（２−ヒドロキシプロピル）アミン、ジ（２−ヒドロキシプロピル）アミン、モノメチルアミノエタノール、モノエチルアミノエタノール、エチレンジアミン、プロピレンジアミン、ブチレンジアミン、ヘキサメチレンジアミン、テトラエチレンペンタミン、ペンタエチレンヘキサミン、ジエチルアミノプロピルアミン、ジエチレントリアミン等が挙げられ、これらの内、アルカノールアミンが好適である。なお、１級アミンについてはケチミン化したものも用いる事が可能である。なお、これらのアミン化合物は、単独で用いてもよいし、２種以上を組み合わせて用いてもよい。２種以上のアミン化合物（Ａ２）を用いてアミノ基変性エポキシ樹脂（Ａ）を製造する場合は、それぞれを別々に添加しても同時に添加してもよい。
【００２４】
＜１−２．エポキシ樹脂（Ａ１）の製造方法＞
次に、エポキシ樹脂（Ａ１）の製造方法について詳述する。エポキシ樹脂（Ａ１）は、例えば、プロピレンオキサイド付加ジエポキシ樹脂（ａ１）、ビスフェノール化合物（ａ２）、ジエポキシ樹脂（ａ３）及びジカルボン酸（ａ４）の原料を配合した混合物を、所定温度で攪拌して反応させることにより製造することができる。なお、反応を促進させるために、上記混合物に反応触媒を更に添加することが好ましい。
【００２５】
反応触媒としては、反応を促進するものであれば特に制限されるものではないが、例えば、ジメチルベンジルアミン、トリエチルアミン、トリブチルアミン等のような３級アミン、テトラエチルアンモニウムブロマイド、テトラブチルアンモニウムブロマイド等のような４級アンモニウム塩等を用いることが出来る。合成温度は、反応の進行を考えて７０℃以上２００℃以下で制御するのが望ましい。
【００２６】
上記の製造方法により得られるエポキシ樹脂のエポキシ当量は、例えば、１０００以上５０００以下が望ましく、１２５０以上４０００以下がより望ましく、１５００以上３０００以下が特に望ましい。当該範囲内であるエポキシ樹脂（Ａ１）は、より優れた液安定性を実現でき、且つ、所定の膜厚を効率よく形成することができるカチオン電着塗料組成物の原料として有用なアミノ基変性エポキシ樹脂（Ａ）を製造することが可能となる。なお、エポキシ当量は、ＪＩＳ Ｋ７２３６の電位差滴定法に準じて測定することができる。該測定には、市販の電位差滴定装置（例えば、京都電子工業製のＡＴ−６１０）を用いて行うことができる。
【００２７】
エポキシ樹脂（Ａ１）の製造において、プロピレンオキサイド付加ジエポキシ樹脂（ａ１）、ビスフェノール化合物（ａ２）、ジエポキシ樹脂（ａ３）及びジカルボン酸（ａ４）の配合割合は、各原料（ａ１）〜（ａ４）の総質量に対して下記の通りである。プロピレンオキサイド付加ジエポキシ樹脂（ａ１）は１〜５０質量％が望ましく、５〜４５質量％がより望ましく、１０〜４０質量％が最も望ましい。ジカルボン酸（ａ４）は１〜２０質量％が望ましく、５〜２０質量％がより望ましく、１０〜２０質量％が最も望ましい。残りの配合割合はビスフェノール化合物（ａ２）及びジエポキシ樹脂（ａ３）によるものとなるが、ビスフェノール化合物（ａ２）及びジエポキシ樹脂（ａ３）は１質量％以上であることが望ましい。これらが当該範囲である場合、良好な電着付き廻り性、外観、耐食性及び防食性を有する塗膜を形成することができるカチオン電着塗料組成物の原料として有用なアミノ基変性エポキシ樹脂（Ａ）を製造することができる。
【００２８】
上記の反応は、適宜、各原料を溶剤に添加して溶剤中で行ってもよい。溶剤としては、樹脂の製造において通常用いられているものであれば特に制限されるものではなく、例えば、トルエン、キシレン、ヘキサン等の炭化水素系溶媒；酢酸メチル、酢酸エチル等のエステル系溶媒；アセトン、メチルエチルケトン、メチルイソブチルケトン等のケトン系溶媒；ジメチルホルムアミド、ジメチルアセトアミド等のアミド系溶媒；メタノール、エタノール、イソプロパノール等のアルコール系溶媒；エチレングリコールモノブチルエーテル、エチレングリコールモノヘキシルエーテル等のエーテルアルコール系溶媒；等が挙げられ、これらは単独で、若しくは、２種以上混合して用いてもよい。
【００２９】
＜１−３．アミノ基変性エポキシ樹脂（Ａ）の製造方法＞
次に、エポキシ樹脂（Ａ１）の製造方法について詳述する。上述したように、アミノ基変性エポキシ樹脂（Ａ）は、エポキシ樹脂（Ａ１）とアミン化合物（Ａ２）とを反応させることにより得ることができる。反応温度及び時間は、例えば、７０℃以上１１０℃以下の範囲内で１〜５時間が好適である。アミノ基変性エポキシ樹脂（Ａ）の製造において、アミン化合物（Ａ２）の配合量は、アミノ基変性エポキシ樹脂（Ａ）のアミン価が５ｍｇＫＯＨ/ｇ以上３０ｍｇＫＯＨ/ｇ以下の範囲となるように調整することが好ましい。従って、得られるアミノ基変性エポキシ樹脂（Ａ）のアミン価は、５ｍｇＫＯＨ/ｇ以上３０ｍｇＫＯＨ/ｇ以下の範囲内であることが好ましく、５ｍｇＫＯＨ/ｇ以上２０ｍｇＫＯＨ/ｇ以下の範囲内であることがより好ましく、１０ｍｇＫＯＨ/ｇ以上２０ｍｇＫＯＨ/ｇ以下の範囲内であることが特に好ましい。アミン価が当該範囲内であると、より優れた液安定性を実現でき、且つ、より低い電気伝導度でも十分な付廻り性や外観悪化防止性を実現できるカチオン電着塗料組成物を調製することが可能となる。なお、アミン価、すなわち、アミノ基変性エポキシ樹脂（Ａ）の全アミン価は、ＪＩＳ Ｋ７２３７の電位差滴定法に準じて測定することができる。
【００３０】
なお、アミン価を調整しても未反応のエポキシ基が存在する場合は、エポキシ基と反応しうる化合物を用いて、当該未反応のエポキシ基に反応させてもよい。当該未反応のエポキシ基と反応させる化合物は、特に問わないが、例えば、フェノール化合物、カルボン酸類、キシレンホルムアルデヒド樹脂やε−カプロラクトン等が挙げられる。
【００３１】
上記エポキシ樹脂（Ａ１）とアミン化合物（Ａ２）との反応は、エポキシ樹脂（Ａ１）を製造する際に用いた上記溶剤と同じものを使用することができるが、これらに限定されるものではなく、他の溶剤を使用してもよい。
【００３２】
以上のようにして得られたアミノ基変性エポキシ樹脂（Ａ）は、例えば、カチオン電着塗料、防錆塗料等の原料として有用である。以下、本発明に係るアミノ基変性エポキシ樹脂（Ａ）を用いた例として、カチオン電着塗料組成物を挙げ、詳細に説明する。
【００３３】
≪２．カチオン電着塗料組成物≫
本発明に係るカチオン電着塗料組成物は、樹脂エマルションを含む。樹脂エマルションは、アミノ基変性エポキシ樹脂（Ａ）と、アミノ基変性エポキシ樹脂（Ａ）を架橋し得る硬化剤（Ｂ）とを含む。まず、樹脂エマルションの各成分について詳述する。
【００３４】
＜２−１．樹脂エマルションの原料＞
｛２−１−１．原料／アミノ基変性エポキシ樹脂（Ａ）｝
樹脂エマルションの製造に用いるアミノ基変性エポキシ樹脂（Ａ）の詳細については上述したので、ここでは省略する。
｛２−１−２．原料／硬化剤（Ｂ）｝
硬化剤（Ｂ）としては、アミノ基変性エポキシ樹脂（Ａ）を架橋し得るものであれば特に限定されず、例えば、ブロック化イソシアネート化合物、アミン化合物、メラミン等が挙げられる。なかでも、ブロック化ポリイソシアネート化合物が好ましい。
【００３５】
ブロック化ポリイソシアネート化合物は、ポリイソシアネート化合物とブロック剤との付加反応生成物、好適にはポリイソシアネート化合物とブロック剤とのほぼ化学理論量での付加反応生成物である。ポリイソシアネート化合物としては、例えば、トリレンジイソシアネート、キシリレンジイソシアネート、フェニレンジイソシアネート、ジフェニルメタン−２，４’−ジイソシアネート、ジフェニルメタン−４，４’−ジイソシアネート、ポリメリックＭＤＩ（クルードＭＤＩ）、ビス（イソシアネートメチル）シクロヘキサン、テトラメチレンジイソシアネート、ヘキサメチレンジイソシアネート、メチレンジイソシアネート、イソホロンジイソシアネート等が挙げられる。これらは単独若しくは２種以上組み合わせて使用することが出来る。
【００３６】
また、ブロック剤は、ポリイソシアネート化合物のイソシアネート基に付加して他の化合物が反応するのをブロックするものである。このようにブロック剤でイソシアネート基をブロックすることによって生成されるブロック化ポリイソシアネート化合物は、常温において安定である。なお、ブロック化ポリイソシアネート化合物としては、本発明のカチオン電着塗料組成物によって形成された塗膜を焼き付ける際に、ブロック化しているブロック剤が解離しうるものであることが望ましい。なお、上記焼付温度は、通常、約１００〜２００℃である。
【００３７】
このような要件を満たすブロック剤としては、例えば、ε−カプロラクタム、γ−ブチロラクタム等のラクタム系化合物；メチルエチルケトオキシム、シクロヘキサノンオキシム等のオキシム系化合物；フェノール、パラ−ｔ−ブチルフェノール、クレゾール等のフェノール系化合物；ｎ−ブタノール、２−エチルヘキサノール等のアルコール類；エチレングリコールモノブチルエーテル、エチレングリコールモノヘキシルエーテル等のエーテルアルコール系化合物；等が挙げられる。これらのブロック剤は単独、若しくは２種以上を組み合わせて使用することが出来る。ブロック剤の付加及び解離の反応を効率よく行うことができ、また、意図する付加反応生成物を効率よく得るために、あらかじめ、変性エポキシ樹脂における水酸基と、ポリイソシアネート化合物におけるイソシアネート基と反応させ、且つ、該ポリイソシアネート化合物における他のイソシアネート基の一部又は全部をブロック剤でブロックしてもよい。
【００３８】
また、ブロック剤の付加及び解離の反応を更に効率良く行うために、適宜、硬化触媒を含ませることも可能である。硬化触媒としては、市販されているものを適宜使用することが出来る。
【００３９】
なお、上記樹脂エマルションは、アミノ基変性エポキシ樹脂（Ａ）と、アミノ基変性エポキシ樹脂（Ａ）を架橋し得る硬化剤（Ｂ）以外に、フェノール構造含有樹脂を含んでいてもよい。
【００４０】
｛２−１−３．原料／フェノール構造含有樹脂｝
フェノール構造含有樹脂とは、１つの置換基を有していてもよいフェノール基を含有する樹脂を意味する。置換基としては、例えば、メチル基、イソプロピル基等のアルキル基；フェノール基；などを挙げることができる。該置換基の位置としては、特に制限されるものではないが、フェノール基が有するＯＨ基に対してオルト位であることが好ましい。
【００４１】
フェノール構造含有樹脂は、ジエポキシ化合物（ｂ１）及び／又はエポキシ当量１７０〜５００のエポキシ樹脂（ｂ２）と、ビスフェノール化合物（ｂ３）とを、［ジエポキシ化合物（ｂ１）及びエポキシ樹脂（ｂ２）におけるエポキシ基］／［ビスフェノール化合物（ｂ３）のフェノール基］の当量比＝０．５〜０．８５で反応させることにより製造することができる。
【００４２】
上記ジエポキシ化合物（ｂ１）は、下記の一般式（Ｉ）で表される化合物及び／又は下記の一般式（II）で表される化合物である。
【化８】
2017038631.tif 000009
【化９】
2017038631.tif 000010
【００４３】
上記一般式（Ｉ）中、２つのＲ５は、それぞれ独立に、水素原子又は炭素数１〜６のアルキル基を示し、アルキレンオキシド構造部分の繰り返し単位の数である、ｒ及びｓは、ｒ＋ｓ＝１〜２０となる整数を示す。上記一般式（II）中、Ｒ６は、水素原子又は炭素数１〜６のアルキル基を示し、ｔは１〜９の整数を示し、ｕは１〜５０の整数を示す。
【００４４】
上記エポキシ樹脂（ｂ２）は、ジエポキシド化合物（ｂ１）以外の１分子中にエポキシ基を２個以上有し、数平均分子量が３４０〜１，５００、好ましくは３４０〜１，０００の範囲内であり、かつ、エポキシ当量が１７０〜５００、好ましくは１７０〜４００の範囲内である、化合物である。エポキシ樹脂（ｂ２）は、例えば、ポリフェノール化合物とエピハロヒドリンとの反応によって得られる。
【００４５】
なお、上記「数平均分子量」は、ＪＩＳ  Ｋ  ０１２４−８３に記載の方法に準じて、ゲルパーミエーションクロマトグラフを用いてエポキシ樹脂（ｂ２）を分析し、標準ポリスチレンの分子量に応じた溶出時間に基づいて算出した。ゲルパーミエーションクロマトグラフは、「ＨＬＣ８３２０ＧＰＣ」（東ソー社製）を使用した。カラムとしては、「ＴＳＫｇｅｌ  ＳｕｐｅｒＡＷＭ−Ｈ」及び「ＴＳＫｇｅｌ  ｇｕａｒｄｃｏｌｕｍ  α」（いずれも東ソー（株）社製、商品名）を用いた。分析は、移動相：Ｎ，Ｎ−ジメチルホルムアミド、測定温度：４０℃、流速：０．５ｍｌ／分の条件で、検出器：ＲＩ（示差屈折計）を用いて実施した。
【００４６】
エポキシ樹脂（ｂ２）の製造に用いられるポリフェノール化合物としては、例えば、ビス（４−ヒドロキシフェニル）−２，２−プロパン［ビスフェノールＡ］、ビス（４−ヒドロキシフェニル）メタン［ビスフェノールＦ］、ビス（４−ヒドロキシシクロヘキシル）メタン［水添ビスフェノールＦ］、２，２−ビス（４−ヒドロキシシクロヘキシル）プロパン［水添ビスフェノールＡ］、４，４’−ジヒドロキシベンゾフェノン、ビス（４−ヒドロキシフェニル）−１，１−エタン、ビス（４−ヒドロキシフェニル）−１，１−イソブタン、ビス（４−ヒドロキシ−２もしくは３−ｔｅｒｔ−ブチル−フェニル）−２，２−プロパン、ビス（２−ヒドロキシナフチル）メタン、テトラ（４−ヒドロキシフェニル）−１，１，２，２−エタン、４，４’−ジヒドロキシジフェニルスルホン、フェノールノボラック、クレゾールノボラック等を挙げることができる。
【００４７】
また、ポリフェノール化合物とエピクロルヒドリンとの反応によって得られるエポキシ樹脂としては、中でも、ビスフェノールＡから誘導される下記一般式（III）で表されるエポキシ樹脂が好ましい。
【化１０】
2017038631.tif 000011
［一般式（III）中、ｑは０〜２の整数を示す。］
【００４８】
ビスフェノール化合物（ｂ３）は、下記一般式（IV）で表される化合物である。なお、一般式（IV）中、Ｒ７、Ｒ８、Ｒ９、Ｒ１０、Ｒ１１、Ｒ１２、Ｒ１３、Ｒ１４、Ｒ１５及びＲ１６は、それぞれ独立に、水素原子又は炭素数１〜６のアルキル基を表す。ビスフェノール化合物（ｂ３）としては、例えば、ビス（４−ヒドロキシフェニル）−２，２−プロパン［ビスフェノールＡ］、ビス（４−ヒドロキシフェニル）メタン［ビスフェノールＦ］等が挙げられる。
【化１１】
2017038631.tif 000012
【００４９】
なお、フェノール構造含有樹脂の製造は、通常、ジエポキシ化合物（ｂ１）及び／又はエポキシ当量１７０〜５００のエポキシ樹脂（ｂ２）と、ビスフェノール化合物（ｂ３）とを混合し、適宜、反応触媒として、Ｎ，Ｎ-ジメチルベンジルアミン、トリブチルアミン等の３級アミン；テトラエチルアンモニウムブロマイド、テトラブチルアンモニウムブロマイド等の４級アンモニウム塩；等を用い、８０〜２００℃、好ましくは９０〜１８０℃の温度範囲で、１〜１０時間、好ましくは１〜８時間反応させることによって得ることができる。
【００５０】
このようにして得られたフェノール構造含有樹脂は、フェノール構造中の水酸基価が２０〜１１２ｍｇＫＯＨ／ｇ、好ましくは２５〜１１０ｍｇＫＯＨ／ｇであり、数平均分子量が８００〜１５，０００、好ましくは９００〜１０，０００であることが、該フェノール構造含有樹脂を含むカチオン電着塗料組成物により形成された塗膜の防食性及び仕上がり性を向上させることができる点で好ましい。
【００５１】
上記アミノ基変性エポキシ樹脂（Ａ）と、アミノ基変性エポキシ樹脂（Ａ）を架橋し得る硬化剤（Ｂ）と、フェノール構造含有樹脂とを含む樹脂エマルションを、カチオン電着塗料組成物の成分として用いることにより、外観、防食性、付きまわり性等の性能に優れた塗膜を得られることが期待できる。
【００５２】
＜２−２．カチオン電着塗料組成物に含まれる樹脂エマルション以外の原料＞
本発明のカチオン電着塗料組成物は、上述の樹脂エマルションを含むものであれば特に制限されるものではなく、その他の原料が含まれていてもよい。他の原料としては、例えば、液体媒体（好適には水）を始め、顔料ペースト（顔料とその顔料を分散させるための樹脂を含む）、有機溶剤、界面活性剤、消泡剤、中和酸等の、カチオン電着塗料に使用されている添加剤を挙げることができる。
【００５３】
＜２−３．樹脂エマルションの製造方法＞
樹脂エマルションは、例えば、アミノ基変性エポキシ樹脂（Ａ）と硬化剤（Ｂ）との混合物（さらに、フェノール構造含有樹脂を含んでいてもよい）に中和酸を添加して撹拌混合した後、水で希釈することにより作製することができる。中和酸としては、アミノ基変性エポキシ樹脂（Ａ）におけるアミノ基をカチオン化することができるものであれば特に制限されるものではなく、例えば、ギ酸、酢酸、乳酸、スルファミン酸、メタンスルホン酸等の有機カルボン酸を用いる事ができる。これらのうち、より安定な低アミン価樹脂エマルションを作製することが可能なメタンスルホン酸等の強酸を用いることが望ましい。これらの酸は単独で用いることもできるし、２種以上用いることも可能である。２種以上の酸を用いる場合は、それぞれを別々に添加しても同時に添加してもよい。水分散性を付与するためにアミノ基をカチオン化する。カチオン化は全てのアミノ基に対して行ってもよいし、一部のアミノ基に対して行ってもよい。
【００５４】
カチオン化に用いる酸の量は、特に限定されるものではないが、少ない場合は、水分散性を付与するカチオンが少なくなりエマルションが成立しない場合があり、一方、多い場合は、エマルションの電気伝導度が高まり、該エマルションを含むカチオン電着塗料組成物によって形成される塗膜の外観が悪化する恐れがあるため、カチオン電着塗料組成物の電気伝導度が１０００μＳ／ｃｍ未満になるように酸の量を適宜調整することが好ましい。
【００５５】
＜２−４．カチオン電着塗料組成物の製造方法＞
本発明に係るカチオン電着塗料組成物は、上記樹脂エマルションに、必要に応じて、上述の、液体媒体、顔料ペースト、有機溶剤、界面活性剤、消泡剤等を攪拌混合することにより、製造することができる。なお、カチオン電着塗料組成物は、希釈前の高濃度のものであっても、高濃度のものを適宜脱イオン水等で希釈して所望の濃度に調整した低濃度のものであってもよい。
【００５６】
＜２−５．カチオン電着塗料組成物の液性＞
｛２−５−１．カチオン電着塗料組成物のｐＨ｝
本発明に係るカチオン電着塗料組成物のｐＨは、特に制限されるものではないが、２．０以上８．０以下の範囲内であることが好ましく、３．０以上６．０以下の範囲内であることがより好ましい。この範囲内で用いることにより、カチオン電着塗料組成物によるカチオン電着塗装前に、化成処理液による化成処理を行っても、化成処理液及び化成処理によってエッチングされた金属等のコンタミによる悪影響を防ぐことができる。ｐＨの調整に用いることのできる物質には特に制限はなく、公知の酸や塩基を用いて行なうことができるが、例えば蟻酸、酢酸、乳酸、硝酸、スルファミン酸、メタンスルホン酸、ベンゼンスルホン酸等の酸、及びアンモニア水、モノエタノールアミン、ジエタノールアミン、トリエタノールアミン等の塩基を適宜用いることができる。なお、本明細書におけるｐＨ値は、市販のｐＨメーターを用い、２５℃で測定した値を示す。
【００５７】
｛２−５−２．カチオン電着塗料組成物の電気伝導度｝
カチオン電着塗料組成物の２５℃における電気伝導度は、１０００μＳ／ｃｍ未満であることが好ましい。なお、電気伝導度は、市販の電気伝導率計（例えば、東亜ＤＫＫのマルチ水質計ＭＭ−６０Ｒ等）を用いて測定することができる。
【００５８】
≪３．カチオン電着塗装≫
｛３−１．カチオン電着塗装方法｝
本発明に係るカチオン電着塗料組成物を用いたカチオン電着塗装は、被塗物を陰極とし、５０Ｖから４００Ｖ、好ましくは１００Ｖから３００Ｖの条件で通電することによって行うことができる。カチオン電着塗装時のカチオン電着塗料組成物を含む塗料浴は、通常１０から５０℃の範囲内であり、好ましくは１５から４０℃の範囲内であるが、これらの温度に限定されるものではない。なお、カチオン電着塗装後は、形成された塗膜を硬化させるため、乾燥工程を実施する。塗膜の乾燥は、例えば、塗装物表面温度で約１００℃から約２００℃の温度範囲内で行うことが好ましく、約１４０℃から約１８０℃の温度範囲内で行うことがより好ましい。このように、塗膜を乾燥させて硬化させることにより、本発明のカチオン電着塗料組成物で塗装された物品を得ることが出来る。なお、カチオン電着塗装工程と乾燥工程との間に、必要に応じて水洗工程を設けてもよい。水洗工程は、例えば、限外濾過液、逆浸透透過水、工業用水、純水等を用いて行うことができる。
【００５９】
上記カチオン電着塗装方法により形成される塗膜の厚さは、特に制限はないが、５以上５０μｍ以下が好ましく、１０以上４０μｍ以下がより好ましい。この範囲内であることにより、優れた耐食性を得ることができる。なお、塗膜厚は、素地金属が磁性金属であれば電磁誘導式膜厚計、素地金属が非磁性金属であれば過電流式膜厚計により測定することができる。
【００６０】
｛３−２．カチオン電着塗装対象物｝
本発明に係るカチオン電着塗料組成物は、電着可能なものであれば特に制限はなく、例えば、冷延鋼材、亜鉛系めっき鋼材（例えば、合金化溶融亜鉛めっき鋼材、溶融亜鉛めっき鋼材、電気亜鉛めっき鋼材）、アルミニウム鋼材、アルミニウム材、マグネシウム材等の金属材料に適用することができる。これらの金属材料は、必要に応じて、アルカリ脱脂等により表面洗浄処理を行ったもの、あるいは、表面洗浄処理後、リン酸亜鉛化成処理、ジルコニウム化成処理等の表面処理を行ったものであってもよい。なお、上記カチオン電着塗料組成物を用いたカチオン電着塗装方法は、ピンホールが特に発生し易い亜鉛系めっき鋼板に特に有用である。また、これら金属材料は、例えば自動車ボディ、自動車部品、家庭用機器等に適用できるように加工されているものでもよい。
【００６１】
<実施例>
以下、製造例、実施例及び比較例により、本発明を更に詳細に説明するが、本発明はこれに限定されるものではない。なお、実施例で使用した被処理素材、脱脂剤、及び塗料は市販されている材料の中から任意に選定したものであり、本発明の表面処理用組成物、表面処理用処理液、及び表面処理方法の実際の用途を限定するものではない。また、特記しない限り、％及び部は、質量％及び質量部をそれぞれ意味する。以下、配合に用いた原料を表１〜表４に示した。
【００６２】
≪変性エポキシ樹脂（Ａ１）の製造≫
<製造例１>
温度計、還流冷却管、及び攪拌機を備えた内容積２リットルのセパラブルフラスコにプロピレンオキサイド付加ジエポキシ樹脂ａ１−１：１００．０２ｇ、ビスフェノール化合物ａ２−１：１６１．４６ｇ、ジエポキシ樹脂ａ３−１：６３８．５ｇ、ジカルボン酸ａ４−１：１００．０２ｇ及びジメチルベンジルアミン０．７５ｇを加え、１３０℃でエポキシ当量が２０００になるまで反応させ、ブチルセロソルブを４４０．０８ｇ加えて反応を停止し、変性エポキシ樹脂Ｎｏ．１を得た。
【００６３】
<製造例２〜５１>
表５〜８に示した組成に基づき、同表に示したエポキシ当量となるようにした以外は、製造例１と同様にして、変性エポキシ樹脂Ｎｏ．２からＮｏ．５１を製造した。
【００６４】
≪アミノ基変性エポキシ樹脂（Ａ）の製造≫
<製造例５２>
温度計、還流冷却器、及び攪拌機を備えた内容積２リットルのセパラブルフラスコに変性エポキシ樹脂Ｎｏ．１：１０００．０ｇ、ジエタノールアミン：２０．１１ｇ加え９０℃で４時間反応させ固形分７０％のアミノ基変性エポキシ樹脂（アミン樹脂）Ｎｏ．１を得た。この樹脂のアミン価は１５．０ｍｇＫＯＨ／ｇであった。
【００６５】
<製造例５３〜１１０>
製造例５２と同様にして、表９〜１２に示した組成に基づき、アミノ基変性エポキシ樹脂（アミン樹脂）Ｎｏ．２からＮｏ．５９を得た。なお、各製造例におけるアミン価は、同表に示す通りである。
【００６６】
≪ブロック化ポリイソシアネート型硬化剤（Ｂ）の製造≫
反応容器中にコスモネートＭ−２００（商品名、三井化学社製  クルードＭＤＩ）：６７８．４ｇにメチルイソブチルケトン：１１５．６ｇ加え７０℃に昇温した後、ブチルセロソルブ７０６．０ｇをゆっくり滴下し、滴下終了後９０℃に昇温した。９０℃の条件下で１２時間反応させブロック化ポリイソシアネート型硬化剤を得た。赤外吸収スペクトル測定を行ったところ、未反応のイソシアネート基由来の吸収が見られず、イソシアネートが完全にブロック化されたことが確認できた。
【００６７】
≪樹脂エマルションの製造≫
<製造例１１１  エマルションＮｏ．１の製造例>
製造例５２で得られたアミノ基変性エポキシ樹脂（アミン樹脂）Ｎｏ．１を６５０．０ｇ、ブロック化ポリイソシアネート化合物を２００．０ｇ混合し、更にメタンスルホン酸１０．０ｇを配合して均一に撹拌した後、脱イオン水１０９４．０ｇを強く撹拌しながら約１０分間かけて投入して固形分３３％のエマルションＮｏ．１を得た。
【００６８】
<製造例１１２〜１６９  エマルションＮｏ．２からＮｏ．５９の製造例>
製造例１１１と同様にして、表１３〜１６に示した組成に基づき、エマルションＮｏ．２からＮｏ．５９を得た。
【００６９】
≪３０％第四級塩化エポキシ樹脂の製造≫
温度計、還流冷却管、及び攪拌機を備えた内容積２リットルのセパラブルフラスコにｊＥＲ＃８２８（商品名、ジャパンエポキシレジン社製、エポキシ当量１８０）を１３４．９ｇ、ビスフェノールＡを８０．９４ｇ、ジメチルベンジルアミンを０．１ｇ加え、１３０℃でエポキシ当量が１０００になるまで反応を行った。反応終了後にブチルセロソルブ７１．７ｇを加え、更にジメチルアミノエタノール１３．１６ｇ、９０％乳酸を１４．７９ｇ加えて９０℃で１時間反応を行った。反応後、脱イオン水６１３．３６ｇを強く撹拌しながら約１時間かけて滴下し、固形分３０％の第四級塩化エポキシ樹脂を製造した。
【００７０】
≪顔料ペーストの製造≫
固形分３０％の第四級塩化エポキシ樹脂１６．６ｇに対し、精製クレー７．０ｇ、カーボンブラック０．３ｇ、白色着色顔料３．０ｇ、ジオクチル錫ジオキサイド１．０ｇ及び脱イオン水を加え、ボールミルにて２０時間分散し、固形分５０％の顔料ペーストを得た。
【００７１】
≪処理液作製≫
製造したエマルションＮｏ．１を固形分１６．０％、顔料ペーストを固形分４．０％となる量を配合した。なお、それぞれの濃度は脱イオン水を用いて希釈調整し、カチオン電着塗料（エマルションＮｏ．１含有カチオン電着塗料）とした。同様に、エマルションＮｏ．２からＮｏ．５９を用いて、カチオン電着塗料（エマルションＮｏ．２からＮｏ．５９含有カチオン電着塗料）を製造した。
【００７２】
≪試験板の作製≫
試験板の作製は、冷延鋼板（１５０ｍｍ（縦）×７０ｍｍ（横）×０．８ｍｍ（厚））を脱脂処理（ファインクリーナーＥ２００１、日本パーカライジング社製、商品名  ４３℃×２分  スプレー処理）し、その後水洗を実施することで、金属板を清浄にした。次いで金属板に化成処理（パルシード１５００、日本パーカライジング社製、商品名、金属酸化膜処理剤  ｐＨ４．０  ４５℃×２分  浸漬処理）を施して表面に化成皮膜を形成した後、水洗作業を実施したものを被塗物として、各々のカチオン電着塗料を用いて乾燥膜厚１５μｍとなるように電着塗装し、各実施例及び比較例の試験板を得た。ここで、各カチオン電着塗料に含有されるエマルションのエマルションＮｏと、実施例１〜４７及び比較例１〜１２と、の対応関係は、表１７及び表１８に示す通りである（例えば、実施例１の試験板は、処理液としてエマルションＮｏ．１含有カチオン電着塗料を用いている）。なお、化成処理後の水洗作業を省略した以外は実施例１９と同様のカチオン電着塗料で処理する方法で、実施例４８の試験板を得た。
【００７３】
≪各種評価試験≫
それぞれの評価において、○以上を合格とする。
【００７４】
<エマルション安定性>
得られたエマルションの粒径を測定することで下記の基準で評価を実施した。粒径の測定は日機装のマイクロトラックＵＰＡ ＥＸ１５０を用いて行った。光分散強度を参照し、サンプルを脱イオン水で適当な濃度に希釈してから測定を実施した。
【００７５】
◎：１５０μｍ未満
○：１５０μｍ以上２００μｍ未満
△：２００μｍ以上２５０μｍ未満
×：２５０μｍ以上若しくはエマルションが得られない
【００７６】
＜電着付き廻り性試験方法及び評価方法＞
４枚ボックスによる電着付き廻り性試験方法（例えば、特開２０１０−９０４０９号公報の段落００８５〜段落００９０等を参照）に従い、塗装付き廻り性試験方法を実施した。実施に際し、対極としては、片面（４枚ボックスと対向する面の逆面）を絶縁テープでシールした７０×１５０×０．５ｍｍのステンレス板（ＳＵＳ３０４）を用いた。また、処理液の液面を、試験片及び対極が９０ｍｍ浸漬される位置に調整した。処理液の温度は３０℃に保持し、処理液はスターラーにて撹拌した。
【００７７】
このような状態で、対極を陽極とした陰極電解法により、４枚ボックスの試験片の表面に塗膜を電解析出させた。
具体的な電解条件は、整流器を用い、所定の電圧にて１８０秒間陰極電解した。電圧は、４枚ボックスの対極と最も近い試験片の、対極と対向する面の塗膜厚さが１５μｍになるように調整した。続いて、それぞれの試験片を水洗した後、１８０℃で２６分間焼き付け、塗膜を形成させた。
【００７８】
そして、対極から最も離れた試験板の対極面側に形成された塗膜の膜厚を電磁式膜厚計を用いて測定した。対極から最も離れた試験片の対極面側に形成された塗膜の厚さは、無作為に選らんだ１０箇所の膜厚を測定し、その平均値を算出することにより得た。その後、対極に最も近い試験片の対局面側に形成された塗膜厚に対する、対極から最も離れた試験片の対極面側に形成された塗膜厚の割合を算出し、以下の評価基準に基づいて電着付き廻り性を評価した。
【００７９】
◎：６５％以上
○：５０％以上６５％未満
△：２０％以上５０％未満
×：２０％未満
【００８０】
<合金化溶融亜鉛めっき鋼板の耐ガスピンホール性>
前記《試験板の作成》における方法で、冷延鋼板の替わりに合金化溶融亜鉛めっき鋼板を用い、化成処理後の水洗を実施し、電着塗料浴（３０℃）の陰極として浸漬して２００Ｖにて電着塗装して膜厚１５μｍとした。得られた塗膜を１８０℃で２０分間焼き付け硬化を行った後、その中のピンホールの数を数え、下記の基準で評価した。
【００８１】
◎：ピンホールの発生なし
○：ピンホールが１個発生しているが、中塗り塗膜で隠ぺいできる程度で問題無
△：ピンホールが２から９個発生
×：ピンホールが１０個以上発生
【００８２】
<電着塗膜の表面粗度>
乾燥塗膜厚１５μｍの電着塗膜をＪＩＳ Ｂ ０６０１に準じて、東京精密のサーフコム５７０Ａを用いて中心線表面粗さ（Ｒａ）を測定し、下記の基準で評価した。なお、カットオフ値λｃは０．８ｍｍ、λｓは２．５μｍとした。
【００８３】
◎：Ｒａ値が０．２０未満
○：Ｒａ値が０．２０以上で、且つ０．５０未満
△：Ｒａ値が０．５０以上で、且つ０．７０未満
×：Ｒａ値が０．７０以上
【００８４】
<防食性>
乾燥塗膜厚１５μｍのカチオン電着塗膜試験板の素地に達するように塗膜にカッターナイフでクロスカット傷を入れ、ＪＩＳ Ｚ−２３７１に準じて、３５℃ソルトスプレー試験を８４０時間行い、カット部からの錆、膨れ幅によって、下記の基準で評価した。
【００８５】
◎：錆、膨れの最大幅がカット部より２．０ｍｍ以下（片側）
○：錆、膨れの最大幅がカット部より２．０ｍｍを超え、かつ３．０ｍｍ以下（片側）
△：錆、膨れの最大幅がカット部より３．０ｍｍを超え、かつ３．５ｍｍ以下（片側）
×：錆、膨れの最大幅がカット部より３．５ｍｍを超える（片側）
【００８６】
表１６及び１７に実施例１から４８及び比較例１から１２の組成物で得られた皮膜の評価結果を示した。実施例１から４８は全ての水準において得られた電着付き廻り性、塗膜外観は共に良好であり、それらの両立を果たした。また塩水噴霧試験においても良好な結果を示した。なお、得られたエマルションの安定性も優れていた。対して比較例１から１２は電着付き廻り性、塗膜外観、耐食性全てに劣る結果であった。
【００８７】
以上より、本発明の効果は明らかである。
【表１】
2017038631.tif 000013
【表２】
2017038631.tif 000014
【表３】
2017038631.tif 000015
【表４】
2017038631.tif 000016
【表５】
2017038631.tif 000017
【表６】
2017038631.tif 000018
【表７】
2017038631.tif 000019
【表８】
2017038631.tif 000020
【表９】
2017038631.tif 000021
【表１０】
2017038631.tif 000022
【表１１】
2017038631.tif 000023
【表１２】
2017038631.tif 000024
【表１３】
2017038631.tif 000025
【表１４】
2017038631.tif 000026
【表１５】
2017038631.tif 000027
【表１６】
2017038631.tif 000028
【表１７】
2017038631.tif 000029
【表１８】
2017038631.tif 000030
【国際調査報告】
2017038631.tif 000037
2017038631.tif 000038
2017038631.tif 000039
2017038631.tif 000040